(57)【特許請求の範囲】
【請求項１】
光源から発せられた光が入射される側面部に複数の切欠が形成してある導光板において、
前記切欠には、外方へ凸となるように湾曲した湾曲面が形成してあり、
前記複数の切欠の中の一の切欠の湾曲面へ入射した光と、他の切欠の湾曲面へ入射した光とが屈折して交差するように、各湾曲面が形成してあり、
前記一の切欠の湾曲面へ入射した光と、前記他の切欠の湾曲面へ入射した光とが屈折して交差する箇所には、両方の光の指向性が共通になる導光パターンが形成してあることを特徴とする導光板。
【請求項２】
前記複数の切欠の中には、切欠に係る深さが異なる切欠を含ませてある請求項１に記載の導光板。
【請求項３】
前記複数の切欠の中には、切欠の湾曲面に係る傾きが異なる切欠を含ませてある請求項１または請求項２に記載の導光板。
【請求項４】
前記複数の切欠が形成された箇所の中には、前記側面部に直交する仮想線に対して対称となるように切欠が形成された箇所を含ませてある請求項１乃至請求項３のいずれか１項に記載の導光板。
【請求項５】
前記請求項１乃至請求項４のいずれか１項に記載の導光板と、
前記導光板の側面部に対向配置された光源ユニットと
を備え、
前記光源ユニットは、発光特性が相違する第１ＬＥＤおよび第２ＬＥＤを含み、
前記第１ＬＥＤは、前記第２ＬＥＤに比べて高輝度であり、
前記第２ＬＥＤは、前記第１ＬＥＤに比べて高演色性であり、
前記第１ＬＥＤは、前記導光板の前記一の切欠に対向するように配置してあり、
前記第２ＬＥＤは、前記導光板の前記他の切欠に対向するように配置してあることを特徴とする面光源装置。
【請求項６】
前記導光板は、矩形状であり、
前記導光板の側面部は、少なくともいずれか１つの角部で面取り的に形成された斜面部である請求項５に記載の面光源装置
【請求項７】
液晶パネルと、
前記請求項５または請求項６に記載の面光源装置と、
前記第１ＬＥＤおよび前記第２ＬＥＤの両方を発光させる第１発光状態と、前記第２ＬＥＤを発光させる第２発光状態との切替を行う切替手段と
を備えることを特徴とする液晶表示装置。
【発明の詳細な説明】
【技術分野】
【０００１】
本発明は、導光板に形成した切欠の形状または位置を工夫することで、光源として発光特性が相違する２種類のＬＥＤを用いた場合でも、輝度ムラ及び色ムラの発生を抑制できるようにした導光板、面光源装置、および液晶表示装置に関する。
【背景技術】
【０００２】
従来、液晶パネルを具備する携帯電話機およびデジタルカメラ等の小型の機器（表示機器）は、液晶パネルを照射する光源として、複数の白色ＬＥＤ（Light Emitting Diode）を用いることが多く、光源の照射方式としてはサイドライト方式を採用するが一般的になっている。サイドライト方式とは、液晶パネルの裏面に矩形状の導光板を配置し、その導光板の一側面部と対向して複数の白色ＬＥＤなどの光源を設ける方式をいう。導光板は、白色ＬＥＤなどの点光源からの光を面光源へと変換して液晶パネルの裏面へ光を導く機能を有し、導光板および光源を組み合わせることで、面光源装置と称される表示機器の部品ユニットが構成される。なお、小型の表示機器では、導光板の角部に面取り的な斜面部を形成し、その斜面部と対向するように光源を配置することもある。
【０００３】
液晶パネルの照射に用いられる光源（白色ＬＥＤ）で現在主流となっているものは、青色ＬＥＤの発光チップと蛍光体とを組み合わせたものである。青色ＬＥＤの発光チップと黄色の蛍光体（ＹＡＧ）とが組み合わされると、輝度を優先した白色ＬＥＤ（高輝度ＬＥＤと称す。）になる。また、青色ＬＥＤの発光チップと赤色と緑色の蛍光体とが組み合わされると、演色性を優先した白色ＬＥＤ（高演色ＬＥＤと称す。）になる。なお、演色性とは、ランプなどの光源がある物体を照らしたときに、その物体の色の見え方に及ぼす光源の性質をいい、演色性の代表的な指標としては、平均演色評価数Ｒａが用いられる。Ｒａは基準光源を１００として、１００に近いほど演色性が良いことを示す。
【０００４】
導光板における光源との近傍箇所は、光源から発せられた光が充分に分散されにくいため、部分的に明るい箇所が発生しやすい。そのため、下記の特許文献１から特許文献４には、光源からの光が入射される導光板の側面部に切欠を形成し、その切欠で光源からの光を屈折させて光りの分散を図ることが開示されている。
【特許文献１】特開２０００−３２１４４０号公報
【特許文献２】特開２００２−４２５３４号公報
【特許文献３】特開２００５−７１９７１号公報
【特許文献４】特開２００７−１８８６７号公報
【発明の開示】
【発明が解決しようとする課題】
【０００５】
小型の携帯可能な表示機器（液晶表示装置）は、ユーザと共に移動して屋外および屋内の両方で使用されるので、使用環境の変化に応じた表示性能が要求される。すなわち、屋外の使用では、太陽光に晒されることから、太陽光が液晶パネルに反射して表示コンテンツが見にくくなることに対応して、液晶パネルの表示に関する輝度を高くする必要が生じる。一方、屋内では、室内光の下、画質を向上させるために、表示に対して演色性を高くする必要がある。そこで、光源として発光特性の異なる高輝度ＬＥＤと高演色ＬＥＤの２種類のＬＥＤを用い、屋外では両方のＬＥＤで液晶パネルを照射することで輝度を高め、屋内では高演色ＬＥＤのみで照射して演色性を高められるようにした光源を用いることが考えられる。
【０００６】
しかし、このように高輝度ＬＥＤおよび高演色ＬＥＤを光源として利用し、発光させるＬＥＤの切替を行う場合、液晶パネルの裏面側に配置される導光板は、いずれか一方のＬＥＤの発光特性に合わせて導光パターンを設計しなければならない関係上、液晶パネルに輝度ムラ（およびそれに伴い色ムラ）が生じる問題があった。
【０００７】
輝度ムラについて、図１３（ａ）（ｂ）を用いて具体的に説明をする。図１３（ａ）（ｂ）は、高輝度ＬＥＤ２ａと高演色ＬＥＤ２ｂをベース２ｃに交互に配置した光源ユニット２で液晶パネル３を照射する液晶表示装置１を示し、液晶パネル３の裏面には、高演色ＬＥＤ２ｂの照射に合わせて液晶パネル３の輝度が均一化されるような導光パターンを有する導光板（図示せず）が配置されている。そのため、図１３（ａ）に示すように、屋内での使用にあわせて高演色ＬＥＤ２ｂのみで照射した場合は、液晶パネル３の中心部を含む領域（図中、波線で示す）が均一に照射され、輝度ムラおよび色ムラは生じない。一方、図１３（ｂ）に示すように、屋外での使用にあわせて高輝度ＬＥＤ２ａおよび高演色ＬＥＤ２ｂの両方で照射を行うと、全体的な輝度が上昇するものの、高輝度ＬＥＤ２ａから照射された光が導光板で均一的に配分されず、高輝度ＬＥＤ２ａで照射される箇所において他に比べて明るい領域Ｒ１（図中、斜線で示す領域）が発生し、それにより領域Ｒ１で輝度ムラが生じる。
【０００８】
また、図１４（ａ）（ｂ）に示す液晶表示装置１′は、図１３（ａ）（ｂ）の液晶表示装置１と同様に、高輝度ＬＥＤ２ａ′と高演色ＬＥＤ２ｂ′をベース２ｃ′に配置した光源ユニット２′で液晶パネル３′を照射するものであるが、液晶パネル３の裏面に配置する導光板の導光パターンが、高輝度ＬＥＤ２ａ′および高演色ＬＥＤ２ｂ′の両方で照射した場合に、各ＬＥＤ２ａ′、２ｂ′からの光が均一的に配分されるようになっている。そのため、図１４（ａ）に示すように、屋外での使用にあわせて両ＬＥＤ２ａ′、２ｂ′で照射を行うと、液晶パネル３′の中心部を含む領域（図中、波線で示す）が均一に照射され、輝度ムラおよび色ムラは生じないが、図１４（ｂ）に示すように、屋内での使用に合わせて高演色ＬＥＤ２ｂ′のみで照射を行うと、高演色ＬＥＤ２ｂ′で照射された箇所が明るく浮かび上がる一方、高輝度ＬＥＤ２ａ′に対応した範囲は暗く落ち込んだ領域Ｒ２（図中、斜線で示す領域）が発生し、輝度ムラが生じる。
【０００９】
なお、高輝度ＬＥＤと高演色ＬＥＤは、それぞれが色の成分が異なる白色光を出しているので、輝度ムラの発生と共に液晶パネルに色ムラが生じる。すなわち、高輝度ＬＥＤから発せられる光は、色の成分として青色と黄色のみから構成される擬似的な白色光であるが、高演色ＬＥＤから発せられる光は、青色、赤色、緑色から色成分が構成されて、より自然な白色光になっている。そのため、高輝度ＬＥＤで照射される領域と、高演色ＬＥＤで照射される領域とでは、表示コンテンツの色調が相違し、色ムラが発生する。
【００１０】
本発明は、かかる問題に鑑みてなされたものであり、光源からの光が入射される導光板の面に所要の切欠を設けることで、光源として高輝度ＬＥＤおよび高演色ＬＥＤを用いて、屋内または屋外にあわせて各ＬＥＤの切替を行っても、液晶パネルに輝度ムラおよび色ムラが生じないようにした導光板、面光源装置、および液晶表示装置を提供することを目的とする。
【課題を解決するための手段】
【００１１】
上記課題を解決するために、本発明に係る導光板は、光源から発せられた光が入射される側面部に切欠が形成してある導光板において、前記切欠には、外方へ凸となるように湾曲した湾曲面が形成してあることを特徴とする。
【００１２】
本発明にあっては、光源から発せられた光が入射される側面部に形成した切欠に、外方へ凸となるように湾曲した湾曲面が形成してあるので、光源から導光板までの距離が近い場合でも、他の形状の切欠（例えば、フラットな斜面、凹状の湾曲面を有する切欠）に比べて、凸レンズ状の湾曲面により光源からの光を大きい角度で屈折しやすくなり、光源から発せられた光を適切に分散できるようになる。そのため、本発明に係る導光板を、一般的な光源と組み合わせて面光源装置を構成すれば、コンパクトな寸法で、明るさのムラが生じにくい特性を得られ、また、本発明に係る導光板の光源として高輝度ＬＥＤおよび高演色ＬＥＤを用いて、屋内または屋外にあわせて各ＬＥＤの発光切替を行っても、凸レンズ状の湾曲面を有する切欠により、各ＬＥＤからの光を屈折させるので、輝度ムラおよび色ムラの発生を抑制することが可能となる。
【００１３】
本発明に係る導光板は、前記切欠が、複数形成してあり、複数の切欠の中で、一の切欠の湾曲面へ入射した光と、他の切欠の湾曲面へ入射した光とが屈折して交差するように各湾曲面が形成してあることを特徴とする。
【００１４】
本発明にあっては、一の切欠の湾曲面へ入射した光と、他の切欠の湾曲面へ入射した光とが屈折して交差するように各湾曲面が形成してあるので、特に、導光板の光源として高輝度ＬＥＤおよび高演色ＬＥＤを用いた場合、各ＬＥＤから発せられた光が導光板で交差して重なるようになり、各ＬＥＤの光が混ざり合って輝度ムラおよび色ムラの抑制を図ることができる。
【００１５】
本発明に係る面光源装置は、複数の切欠が側面部に形成された矩形状の導光板と、前記導光板の側面部に対向配置された光源ユニットとを備える面光源装置において、前記光源ユニットは、発光特性が相違する第１ＬＥＤおよび第２ＬＥＤを含み、前記第１ＬＥＤは、前記第２ＬＥＤに比べて高輝度であり、前記第２ＬＥＤは、前記第１ＬＥＤに比べて高演色性であり、前記複数の切欠の中で、一の切欠は前記第１ＬＥＤと対向的な位置に形成してあると共に、他の切欠は前記第２ＬＥＤと対向的な位置に形成してあり、一の切欠へ入射された第１ＬＥＤの光と、他の切欠へ入射された第２ＬＥＤの光とが屈折して交差するように、各切欠に屈折面が形成してあることを特徴とする。
【００１６】
本発明にあっては、複数の切欠を設けた導光板と、高輝度の第１ＬＥＤおよび高演色の第２ＬＥＤを含む光源ユニットで面光源装置を構成し、複数の切欠の中で一の切欠へ入射された第１ＬＥＤの光と、他の切欠へ入射された第２ＬＥＤの光とが屈折して交差するように、各切欠に屈折面が形成してあるので、各ＬＥＤから発せられた光が導光板で重なるようになる。その結果、両ＬＥＤで照射を行った場合でも、各ＬＥＤからの光が混じり合って輝度ムラおよび色ムラが生じにくくなり、また、第２ＬＥＤのみで照射を行った場合でも、屈折面による屈折で第２ＬＥＤから発せられた光が分散されるため、輝度ムラおよび色ムラが生じにくくなる。なお、一般に液晶パネルの表示を行うと、液晶パネルの中心箇所に閲覧者の注意が向く傾向があるので、高演色の第２ＬＥＤのみを照射する場合に、第２ＬＥＤから照射される光が、液晶パネルの中心箇所に相当する導光板の対応箇所へ向かうように屈折させることが好適となる。
【００１７】
本発明に係る面光源装置は、複数の切欠が側面部に形成された矩形状の導光板と、前記導光板の側面部に対向配置された光源ユニットとを備える面光源装置において、前記光源ユニットは、発光特性が相違する第１ＬＥＤおよび第２ＬＥＤを含み、前記第１ＬＥＤは、前記第２ＬＥＤに比べて高輝度であり、前記第２ＬＥＤは、前記第１ＬＥＤに比べて高演色性であり、前記複数の切欠の中で、一の切欠は前記第１ＬＥＤと対向的な位置に形成してあると共に、他の切欠は前記第２ＬＥＤと対向的な位置に形成してあり、一の切欠へ入射された第１ＬＥＤの光と、他の切欠へ入射された第２ＬＥＤの光とが屈折して交差するように、各切欠に外方へ凸となる湾曲面が形成してあることを特徴とする。
【００１８】
本発明にあっては、複数の切欠を設けた導光板と、高輝度の第１ＬＥＤおよび高演色の第２ＬＥＤを含む光源ユニットで面光源装置を構成し、複数の切欠の中で一の切欠へ入射された第１ＬＥＤの光と、他の切欠へ入射された第２ＬＥＤの光とが屈折して交差するように、各切欠に外方へ凸となる湾曲面が形成してあるので、各ＬＥＤから発せられた光が導光板で重なるようになる。そのため、両ＬＥＤで照射を行った場合でも、各ＬＥＤからの光が混じり合って輝度ムラおよび色ムラの発生が抑制され、また、第２ＬＥＤのみで照射を行った場合でも、凸レンズ状の湾曲面による屈折で第２ＬＥＤから発せられた光が分散されて輝度ムラおよび色ムラが生じにくくなる。
【００１９】
本発明に係る面光源装置は、前記導光板が、一の切欠へ入射された第１ＬＥＤの光と、他の切欠へ入射された第２ＬＥＤの光とが交差する箇所に、両ＬＥＤからの光の指向性が共通になる導光パターンを有することを特徴とする。
【００２０】
本発明にあっては、第１ＬＥＤと第２ＬＥＤからの光が交差する箇所に、両ＬＥＤからの光の指向性が共通になる導光パターンを設けたので、第１ＬＥＤと第２ＬＥＤからの光が導光パターンに入った後、それらの光路が同一になる。そのため、屋内等の使用に対して第１ＬＥＤが点灯を停止して、第２ＬＥＤのみを発光させても、その光路に相当する領域は、第２ＬＥＤにより照射されて、この領域の光量を確保でき、両ＬＥＤを発光させる場合との明るさの分布状態の差を低減でき、輝度ムラおよび色ムラの抑制に貢献できる。
【００２１】
本発明に係る面光源装置は、前記導光板の側面部が、少なくともいずれか１つの角部で面取り的に形成された斜面部であることを特徴とする。
本発明にあっては、面取り的に形成した角部の斜面部を光源ユニットが対向配置される側面部にするので、小型の液晶表示装置に好適なレイアウトに対しても、本発明に係る構成を適用できるようになる。
【００２２】
本発明に係る液晶表示装置は、液晶パネルと、上述したいずれか１の面光源装置と、前記第１ＬＥＤおよび前記第２ＬＥＤの両方を発光させる第１発光状態と、前記第２ＬＥＤを発光させる第２発光状態との切替を行う切替手段とを備えることを特徴とする。
【００２３】
本発明にあっては、第１ＬＥＤ及び第２ＬＥＤの双方を発光させる第１発光状態と、第２ＬＥＤのみを発光させる第２発光状態を択一的に切替可能にしているので、様々な使用の状況に対応でき、発光特性の異なる第１ＬＥＤと第２ＬＥＤを有効に活用できるようになる。すなわち、屋外などで液晶表示装置を使用する場合は、太陽光が液晶パネルで反射して表示コンテンツが見にくくなるので、第１発光状態に切り替え、逆に屋内などでは、高画質のコンテンツ表示を得るために、第２発光状態に切り替える。
【発明の効果】
【００２４】
本発明にあっては、光源から発せられた光が入射される側面部に形成した切欠に、外方へ凸となるように湾曲した湾曲面が形成したので、光源から発せられた光を適切に分散できる。
また、本発明にあっては、一の切欠の湾曲面へ入射した光と、他の切欠の湾曲面へ入射した光とが屈折して交差するように各湾曲面を形成したので、各ＬＥＤから発せられた光を導光板で重ねることができ、輝度ムラおよび色ムラの抑制を図ることができる。
【００２５】
本発明にあっては、導光板に設けた複数の切欠の中で一の切欠へ入射された高輝度の第１ＬＥＤの光と、他の切欠へ入射された高演色の第２ＬＥＤの光とが屈折して交差するように、各切欠に屈折面を形成したので、特性の異なる光を導光板が重なって混じり合い、輝度ムラおよび色ムラの発生を抑制できる。
また、本発明にあっては、導光板に設けた複数の切欠の中で一の切欠へ入射された高輝度の第１ＬＥＤの光と、他の切欠へ入射された高演色の第２ＬＥＤの光とが屈折して交差するように、各切欠に湾曲面を形成したので、これらの湾曲面により特性の異なる光を混じり合わせることができ、輝度ムラおよび色ムラの発生を抑えられる。
【００２６】
さらに、本発明にあっては、第１ＬＥＤと第２ＬＥＤからの光路が、導光パターンにより同一になるので、輝度ムラおよび色ムラの発生を一層抑制できる。
さらにまた、本発明にあっては、面取り的に形成した角部の斜面部を光源ユニットが対向配置される側面部にするので、小型の液晶表示装置に好適なレイアウトに対しても、本発明に係る構成を適用して、輝度ムラおよび色ムラの抑制を図れる。
また、本発明にあっては、第１ＬＥＤ及び第２ＬＥＤの双方を発光させる第１発光状態と、第２ＬＥＤのみを発光させる第２発光状態を択一的に切り替えるので、様々な使用状況で良好な表示特性を得ることができる。
【発明を実施するための最良の形態】
【００２７】
図１は、本発明の実施形態に係る液晶表示装置１１を適用した携帯電話機１０を示している。携帯電話機１０は、略直方体の筐体１２に、コンテンツ表示を行う液晶パネル１１ａと、後述する光源ユニット１５の照射の態様を切り替える切替スイッチ１３、携帯電話機１０を操作するための操作部１４を設けている。
【００２８】
図２（ａ）は液晶表示装置１１のパネル面からの正面図（液晶パネル１１ａを省略した状態の図）であり、図２（ｂ）は液晶表示装置１１の全体的な断面を示し、液晶パネル１１ａの裏面側に、第１プリズムシート２９ａ、第２プリズムシート２９ｂ、拡散シート３０、導光板１６、反射シート３１を順次、積層配置している。本実施形態の液晶表示装置１１は、サイドライト方式を採用しており、図２（ａ）中、下方となる導光板１６の一側面部１６ａに対向するように光源ユニット１５を配置している。液晶表示装置１１は、上述した液晶パネル１１ａ、各シート２９ａ、２９ｂ、３０、３１、導光板１６、光源ユニット１５をハウジング１７で囲っており、このような液晶表示装置１１の中で、導光板１６と光源ユニット１５は液晶パネル１１ａに対する部品ユニットの面光源装置３４（図３参照）として成立する。
【００２９】
なお、第１プリズムシート２９ａ及び第２プリズムシート２９ｂは、液晶パネル１１ａのパネル面へ光を集めることによりパネル輝度を向上させるシート部材であり、拡散シート３０は、液晶パネル１１ａの輝度の向上、光の拡散、輝度ムラの低減を目的としたシート部材である。また、反射シート３１は、導光板１６から漏れ出た光を液晶パネル１１ａの方へ反射して、光源ユニット１５から発せられた光を無駄なく有効に利用するためのシート部材である。
【００３０】
光源ユニット１５は、液晶パネル１１ａの光源であり、導光板１６を介して液晶パネル１ａを照射する。本実施形態の光源ユニット１５は、図２（ａ）に示すように、ベース１５ａに高輝度ＬＥＤ（第１ＬＥＤに該当）１８ａ〜１８ｄ、および高演色ＬＥＤ（第２ＬＥＤに該当）１９ａ〜１９ｃの２種類のチップ型のＬＥＤを交互に等間隔で配置した構成になっている。
【００３１】
高輝度ＬＥＤ１８ａ〜１８ｄは、例えば、青色ＬＥＤの発光チップと黄色蛍光体（Ｃａ−αサイアロン）とから構成されている白色ＬＥＤであり、高演色ＬＥＤ１９ａ〜１９ｃに比べて高輝度となっている。また、高演色ＬＥＤ１９ａ〜１９ｃは、青色ＬＥＤの発光チップと赤色蛍光体（ＣａＡｌＳｉＮ３）と緑色蛍光体（βサイアロン）とから構成されている白色ＬＥＤであり、高輝度ＬＥＤ１８ａ〜１８ｄに比べて高演色になっている。なお、高輝度ＬＥＤ１８ａ〜１８ｄと高演色ＬＥＤ１９ａ〜１９ｃは、青色ＬＥＤの発光により励起されるので、青色ＬＥＤの光波長である４７０ｎｍ付近で最高ピークを有する。高輝度ＬＥＤ１８ａ〜１８ｄは、４７０ｎｍ付近で、高演色ＬＥＤ１９ａ〜１９ｃより、約２倍近い放射強度を有している。また、演色性に関しては、高輝度ＬＥＤ１８ａ〜１８ｄは平均演色評価数が８０Ｒａであり、高演色ＬＥＤ１９ａ〜１９ｃは平均演色評価数が９０Ｒａである。また、本実施形態の光源ユニット１５はチップ型のＬＥＤ１８ａ〜１８ｄ、１９ａ〜１９ｃを用いているが、砲弾型またはフラット型のＬＥＤを用いることも可能である。
【００３２】
次に、本発明の特徴となる液晶表示装置１１の導光板１６について説明する。透明なアクリル樹脂製で矩形状の導光板１６は、図２（ｂ）で示すように、側方からの形状が光源ユニット１５側となる一側面部１６ａの厚み寸法を反対側の側面部より大きくした略楔状であり、光源ユニット１５からの光を発光面１６ｆで均一に面発光させることにより、液晶パネル１１ａを裏面から照射する。
【００３３】
図２（ａ）、図３、図４に示すように、導光板１６は、光源ユニット１５から発せられた光が入射される一側面部１６ａに切欠２１〜２８を形成している。図３中、左端に形成された切欠２１および左から２番目に形成された切欠２２（切欠２１より小さいもの）は、光源ユニット１５のベース１５ａに左から２番目に配置された高演色ＬＥＤ１９ａに対向しており、高演色ＬＥＤ１９ａから発せられた光が入射される。また、これらの切欠２１、２２（他の切欠に相当）には、外方（光源ユニット１５の方へ向かう方向）へ凸状に湾曲した湾曲面２１ａ、２２ａ（屈折面に相当）が形成されており、この凸状の湾曲面２１ａ、２２ａが凸レンズ的に作用し、湾曲面２１ａ、２２ａに入射された高演色ＬＥＤ１９ａからの光を屈折させて、隣り合う高演色ＬＥＤ１９ａと高輝度ＬＥＤ１８ｂの中間位置Ｃ１（図４参照）と対向する箇所から中方へ入った部分に形成された第１導光パターン１６ｄへ進行させる。
【００３４】
なお、左端の切欠２１に形成された湾曲面２１ａは、左から２番目の切欠２２に形成された湾曲面２２ａに比べて、一側面部１６ａに対する接線角度が大きくなるように、全体的に立った角度で形成されている。それにより、高演色ＬＥＤ１９ａの中央付近から発せられて湾曲面２１ａに入射した光は、図４中、右へ屈折するが、高輝度ＬＥＤ１９ａの中央付近から右よりの箇所から湾曲面２２ａに入射した光は、左へ屈折するようになっている。
【００３５】
また、図３中で左側から３番目の切欠２３および左側から４番目の切欠２４は、上述した切欠２１、２２と、高演色ＬＥＤ１９ａおよび高輝度ＬＥＤ１８ｂの中間位置ＣＬ（図４参照）を中心に対称になるように形成されている。すなわち、左側から３番目の切欠２３は切欠２２と対称的な位置で対称的な形状であり、切欠２２の湾曲面２２ａと対称形状の湾曲面２３ａを有し、左から４番目の切欠２４は、切欠２１と対称的な位置で対称的な形状に形成されており、切欠２１の湾曲面２１ａと対称形状の湾曲面２４ａを有する。これらの切欠２３、２４（一の切欠に相当）は、光源ユニット１５のベース１５ａに左から３番目に配置された高輝度ＬＥＤ１８ｂに対向し、高輝度ＬＥＤ１８ｂから発せられた光を、高演色ＬＥＤ１９ａからの光と対称となるように湾曲面２３ａ、２４ａで屈折させて、第１導光パターン１６ｄへ進行させている。
【００３６】
切欠２１〜２４の凸レンズ的な作用により、高演色ＬＥＤ１９ａおよび高輝度ＬＥＤ１８ｂから発せられた光は、第１導光パターン１６ｄで交差して重なり、また、第１導光パターン１６では、入ってきた光の指向性（進む向き）が共通にして進行させる。詳しくは、図２（ａ）に示すように、高演色ＬＥＤ１９ａから発せられた光Ｌ１は、切欠２１（他の切欠に相当）の湾曲面２１ａで導光板１６の中心方向へ角度αで屈折して第１導光パターン１６ｄへ入り、また、高輝度ＬＥＤ１８ｂから発せられた光Ｌ２は切欠２４の湾曲面２４ａで導光板１６の外方向へ角度αで屈折して第１導光パターン１６ｄへ入る。第１導光パターン１６ｄへ入った光Ｌ１、Ｌ２は交差して重なり、重なって混ざり合った光Ｌ６として同一方向（一側面部１６ａに直交的な方向）へ進行する。
【００３７】
また、図３に示す切欠２５〜２８は、光源ユニット１５の中央に配置された高演色ＬＥＤ１９ｂを中心にして切欠２１〜２４と対称に形成されており、湾曲面２５ａ〜２８ａを有している。また、切欠２５、２６は、図３中、光源ユニット１５のベース１５ａに右から３番目に配置された高輝度ＬＥＤ１８ｃと対向しており、高輝度ＬＥＤ１８ｃから発せられた光は、湾曲面２５ａ、２６ａで屈折して第２導光パターン１６ｅへ進行する。さらに、切欠２７、２８は、光源ユニット１５のベース１５ａに右から２番目に配置された高演色ＬＥＤ１９ｃと対向しており、高演色ＬＥＤ１９ｃから発せられた光は、湾曲面２７ａ、２８ａで屈折して第２導光パターン１６ｅへ進行する。
【００３８】
なお、第２導光パターン１６ｅでは、高輝度ＬＥＤ１８ｃから発せられた光（例えば、図２（ａ）で示す光Ｌ４）と、高演色ＬＥＤ１９ｃから発せられた光（例えば、図２（ａ）で示す光Ｌ５）とが交差して重なり、重なって混ざり合った光Ｌ７（図２（ａ）参照）は、共通の指向性を持って、一側面部１６ａと直交的な方向へ進行する。
【００３９】
このように各導光パターン１６ｄ、１６ｅから進行する光Ｌ６、Ｌ７は、いずれも共通の指向性（進行方向が同じ特性）を有するので、光Ｌ６、Ｌ７の進行先となる液晶パネル１１ａの中央領域１１ｂ（図２（ａ）参照）には、同方向の光Ｌ６、Ｌ７に対して共用される適切な導光パターン１６ｈ（図３参照）を導光板１６は形成している。これにより各ＬＥＤ１８ａ〜１８ｄ、１９ａ〜１９ｃの発光状態に関係なく、面光源装置３４は、同等の照射性を確保して輝度ムラおよび色ムラの発生を防止できるようにしている。なお、本実施形態では、演色性に優れた高演色ＬＥＤ１９ａ、１９ｃから発せられた光を、いずれも導光板１６の中央の向きへ屈折させるので、高演色ＬＥＤ１９ａ〜１９ｃのみを発光させる状態で、液晶パネル１１ａの中央付近の演色性を良好に維持できるようにしている。
【００４０】
また、面光源装置３４では、高輝度ＬＥＤ１８ａ、１８ｄ、および中心位置の高演色ＬＥＤ１９ｂと対向する導光板１６における一側面部１６ａの箇所に、切欠を設けていないため、これらのＬＥＤ１８ａ、１８ｄ、１９ｂから発せられた光（例えば、図２（ａ）に示す光Ｌ３）は、第１および第２導光パターン１６ｄ、１６ｅから出る光Ｌ６、Ｌ７と同様に、導光板１６の一側面部１６ａと直交的に進行するので、導光パターン１６ｈは、これらの光を分散させて、明るさが特定の箇所に集中することを防止している。
【００４１】
なお、本実施形態の導光板１６は、各導光パターン１６ｄ、１６ｅ等を、発光面１６ｆとは逆の面である背面１６ｇ（図２（ｂ）参照）に、拡散反射特性を有する白色ドットを印刷することで形成しているが、導光板１６製作用の金型に所要の導光パターン用の凹凸を形成することで、各導光パターン１６ｄ、１６ｅ等を成形により作ってもよい。
【００４２】
図５は、液晶表示装置１１の電気的構成を示し、液晶表示装置１１は各種制御を行う制御部３２に、切替スイッチ１３、光源ユニット１５、液晶パネルインターフェース３３を接続すると共に、液晶パネルインターフェース３３に液晶パネル１１ａを接続している。液晶表示装置１１の制御部３２は、切替スイッチ１３の操作により、光源ユニット１５の各ＬＥＤ１８ａ〜１８ｄ、１９ａ〜１９ｃの発光状態を、屋外モードと屋内モードに切り替える制御を行う。なお、屋外モードは、屋外の太陽光の下で携帯電話機１０を使用する場合に、液晶パネル１１ａの輝度を高くするため光源ユニット１５の全ＬＥＤ１８ａ〜１８ｄ、１９ａ〜１９ｃを点灯させる状態（第１発光状態）に該当し、屋内モードは、演色性を高めて高画質でコンテンツ表示を行えるようにするため、高演色ＬＥＤ１９ａ〜１９ｃを発光させる状態（第２発光状態）に該当する。
【００４３】
制御部３２は、切替スイッチ１３が図１の矢印方向へスライド操作されたとき、屋内モードで光源ユニット１５を発光させるように発光状態を切り替えられ、また、図１の矢印方向とは逆へスライド操作がされたとき、屋外モードで光源ユニット１５を発光させるように発光状態を切り替える制御を行う。
【００４４】
以下、本発明の実施形態に係る携帯電話機１０に含まれる液晶表示装置１１の動作について説明する。切替スイッチ１３が屋外モードになるように操作されると、図６（ａ）に示すように、制御部３２の切替制御により、光源ユニット１５は全ＬＥＤ１８ａ〜１８ｄ、１９ａ〜１９ｃを発光するので、液晶パネル１１ａは高輝度となり、太陽光の下でも表示コンテンツの視認性を高めて表示処理を行える。しかも、屋外モードでは、切欠２１〜２４により高輝度ＬＥＤ１８ｂの光と高演色ＬＥＤ１９ａの光が屈折して第１導光パターン１６ｄで交差して重なり混ざり合い、光Ｌ６として共通の導光パターンが形成された領域へ進行するので、光が適切に分散されて輝度ムラおよび色ムラが軽減される。このような光の交差混ざり合いは、高輝度ＬＥＤ１８ｃおよび高演色ＬＥＤ１９ｃから発せられた光が切欠２５〜２８により屈折されて、第２導光パターン１６ｅでも上記と同様に交差して混ざり合い、光Ｌ７として進行するので、液晶パネル１１ａの右側でも同様に、輝度ムラおよび色ムラが軽減される。
【００４５】
また、切替スイッチ１３が屋内モードになるように操作されると、図６（ｂ）に示すように、制御部３２の切替制御により、光源ユニット１５は、高演色ＬＥＤ１９ａ〜１９ｃを発光させる発光状態に切り替えられ、液晶パネル１１ａを照射する。屋内モードでは、高輝度ＬＥＤ１８ａ〜１８ｄが発光しないので、液晶パネル１１ａの全体的な輝度は低下するが、高演色ＬＥＤ１９ａからの光が第１導光パターン１６ｄに進行し、高演色ＬＥＤ１９ｃからの光が第２導光パターン１６ｅに進行し、第１導光パターン１６ｄおよび第２導光パターン１６ｅから出た光Ｌ６、Ｌ７が液晶パネル１１ａの中央領域１１ｂに設けられた共通の導光パターン１６ｈ（図３参照）に進行して適切に分散されるので、液晶パネル１１ａの中央領域１１ｂの輝度が適度に維持される。また、一般にユーザは液晶パネル１１ａを見る場合、パネルの中心領域１１ｂへ注意を集める傾向があるので、屋内モードでは液晶パネル１１ａの中心領域１１ｂが見やすくなるため、良好な演色性で表示されたコンテンツを適切な輝度でユーザに提供できる。
【００４６】
なお、本発明に係る導光板１６、面光源装置３４、および液晶表示装置１１は、上述した形態に限定されるものではなく、種々の変形例の適用が可能である。例えば、導光板１６は、２種類の高輝度ＬＥＤ１８ａ〜１８ｄおよび高演色ＬＥＤ１９ａ〜１９ｃを有する光源ユニット１５以外に、同種の発光特性のＬＥＤのみを備えた光源ユニットと組み合わせて面光源装置を構成することも可能であり、この場合は、各切欠２１〜２８に設けた凸レンズ状の湾曲部２１ａ〜２８ａで、光源ユニットから発せられる光を屈折させて幅広く分散させるため、液晶パネル１１ａの光源ユニット近傍箇所が過度に明るくなることを防止できる。なお、このように同種の発光特性のＬＥＤのみを備えた光源ユニットに導光板１６を組み合わせる場合は、発光特性が同種であることから各ＬＥＤの光を重ねて混じり合わせる必要もないので、各導光パターン１６ｄ、１６ｅ等を省略することも可能であると共に、導光板１６の一側面部１６ａに対する湾曲部２１ａ〜２８ａの角度および形状を、切欠２１〜２８へ入射した光が広く分散するように規定してもよい。
【００４７】
また、一方、２種類の高輝度ＬＥＤ１８ａ〜１８ｄおよび高演色ＬＥＤ１９ａ〜１９ｃを有する光源ユニット１５に組み合わせる導光板は、図２、３等の切欠形状を有する導光板１６以外にも、他の切欠形状を有する導光板を組み合わせることが可能である。
【００４８】
図７（ａ）（ｂ）は、光源ユニット１５に、凹状の湾曲部４１ａ、４２ａ等を形成した切欠４１〜４８を設けた導光板４０を組み合わせた変形例の面光源装置４９を示している。この変形例において、導光板４０は、図２、３等に示した導光板１６と同様な位置に切欠４１〜４８を形成しているが、各切欠４１〜４８に形成する湾曲部４１ａ、４２ａ等の形状を導光板４０の中方へ窪んで凹状にしたことが特徴になっている。このような形状にすることで、湾曲部４１ａ、４２ａ等に凹レンズ的な作用が生じ、光源ユニット１５の各ＬＥＤから発せられる光を適度に屈折させて液晶パネルの輝度ムラおよび色ムラを抑制することができる。
【００４９】
図８は、光源ユニット１５に別の変形例の導光板５０を組み合わせた面光源装置５９を示している。この導光板５０は、図２、３等に示した導光板１６と同様な位置に切欠５１〜５８を形成しているが、図２、３等の導光板１６の切欠２１〜２８に湾曲部２１ａ〜２８ａを形成した箇所に、フラットな斜面部５１ａ、５２ａ等を形成したことを特徴にしている。このようなフラットな斜面部５１ａ、５２ａ等でも、光源ユニット１５から発せられた光が斜面部５１ａ、５２ａ等へ斜めに入射するので、斜面部５１ａ、５２ａ等で光源ユニット１５の光を屈折させて液晶パネルに輝度ムラおよび色ムラが生じないようにできる。なお、図８に示す導光板５０は、切欠５１〜５８が、図２、３等の導光板１６に比べて平面のみの簡易な形状になっているので、導光板５０の成形用金型の製作も容易になり、製作コストも低減できる。
【００５０】
図９は、光源ユニット１５に、さらに別の変形例の導光板６０を組み合わせた面光源装置６９を示している。この導光板６０は、光源ユニット１５からの光が入射される一側面部６０ａに、平面視（正面視）で二等辺三角形状の計４個の切欠６１〜６４を形成したことが特徴になっている。図９中、左端の切欠６１は高演色ＬＥＤ１９ａに対向して形成されており、以下、左から２番目の切欠６２は高輝度ＬＥＤ１８ｂに対向し、右から２番目の切欠６３は高輝度ＬＥＤ１８ｃに対向し、右端の切欠６４は高演色ＬＥＤ１９ｃに対向してそれぞれ形成されている。
【００５１】
左端の切欠６１は、左側の斜面部６１ａおよび右側の斜面部６１ｂで高演色ＬＥＤ１９ａから発せられた光を、図９中の左側と右側へそれぞれ屈折させている。また、左から２番目の切欠６２は、左側の斜面部６２ａおよび右側の斜面部６２ｂで高輝度ＬＥＤ１８ｂから発せられた光を、図９中の左側と右側へそれぞれ屈折させている。切欠６１、６２での斜面部６１ｂ、６２ａでの屈折により、高演色ＬＥＤ１９ａから発せられた光と、高輝度ＬＥＤ１８ｂから発せられた光が交差して混ざり合うようになり、液晶パネルの輝度ムラおよび色ムラ抑制に貢献できる。また、このような光が交差する箇所には、図２、３等の導光板１６に示した第１導光パターン１６ｄを導光板６０に設ければ、各ＬＥＤ１９ａ、１８ｂから発せられた光の指向性を共通にでき好適となる。なお、切欠６３、６４でも、上述した切欠６１、６２と同様に、高輝度ＬＥＤ１８ｃおよび高演色ＬＥＤ１９ｃから発せられる光を屈折させてそれぞれを交差させており、これにより液晶パネルの右半分側でも輝度ムラおよび色ムラの発生を抑制している。
【００５２】
なお、図９では、各切欠６１〜６４を正面視で二等辺三角形の形状にしているが、他の形状として、台形、半円形状なども適用することが可能であり、この場合、台形の左右の斜面部、半円状の円弧面部で光源ユニット１５の発光特性の相異する各ＬＥＤの光を交差させて、光を混ぜ合わせることができる。
【００５３】
図１０（ａ）（ｂ）は、切欠の個数を減らして、光源ユニット１５の発光特性が相異する各ＬＥＤの光を交差させる変形例の面光源装置７９、８９を示している。図１０（ａ）は、光源ユニット１５の左から２番目の高演色ＬＥＤ１９ａに対向するように導光板７０の一側面部７０ａに切欠７１、７２を形成し、さらに、右から２番目の高演色ＬＥＤ１９ｃに対向するように切欠７３、７４を形成した変形例を示している。各切欠７１〜７４は、図２、３等に示す導光板１６に形成した切欠２１、２２、２７、２８と基本的に同形状になっており、切欠７１、７２に形成した湾曲部７１ａ、７２ａで高演色ＬＥＤ１９ａから発せられた光を導光板７０の中央方向（図１０（ａ）中の右方向）へ屈折させて、左から３番目の高輝度ＬＥＤ１８ｂから発せられて一側面部７０ａに対して直交的に進む光と交差させ、発光特性の異なる光を混ぜ合わせている。なお、この場合でも高演色ＬＥＤ１９ａの光と高輝度ＬＥＤ１８ｂの光が交差する箇所に、図２、３等に示す第１導光パターン１６ｄを設けることが、発光特性の異なる光の指向性（進行方向）を共通にする点で好ましい。
【００５４】
また、図１０（ａ）の右方でも、切欠７３、７４の湾曲部７３ａ、７４ａで高演色ＬＥＤ１９ｃから発せられた光が、導光板７０の中央方向（図１０（ａ）中の左方向）へ屈折し、右から３番目の高輝度ＬＥＤ１８ｃから発せられた光と交差している。なお、図１０（ａ）のように切欠の個数を減らすことで、導光板７０の製作コストを低減することが可能となる。また、図１０（ａ）に示す場合では、切欠７１〜７４の代わりに、導光板の同等の位置に形成される他の形状の切欠、例えば、図７（ａ）に示す切欠４１、４２、４７、４８、または図８に示す切欠５１、５２、５７、５８等を適用することも可能である（後述の図１０（ｂ）の変形例でも同様）。
【００５５】
図１０（ｂ）は、光源ユニット１５の左から３番目の高輝度ＬＥＤ１８ｂに対向するように導光板８０の一側面部８０ａに切欠８１、８２を形成し、さらに、右から３番目の高輝度ＬＥＤ１８ｃに対向するように切欠８３、８４を形成した変形例を示している。これらの切欠８１〜８４は、図２、３等に示す導光板１６に形成した切欠２３〜２６と同形状になっており、切欠８１、８２に形成した湾曲部で高輝度ＬＥＤ１８ｂから発せられた光を導光板７０の外方向（図１０（ａ）中の左方向）へ屈折させて、左から２番目の高演色ＬＥＤ１９ａから発せられて一側面部８０ａに対して直交的に進む光と交差させ、発光特性の異なる光を混ぜ合わせている。なお、この両ＬＥＤ１８ｂ、１９ａの光が交差する箇所にも、図２、３等に示す第１導光パターン１６ｄを設けることが好適である。また、図１０（ｂ）の右方でも、切欠８３、８４の湾曲部により、高輝度ＬＥＤ１８ｃから発せられた光が、導光板８０の外方向（図１０（ｂ）中の右方向）へ屈折し、右から２番目の高演色ＬＥＤ１９ｃから発せられた光と交差している。
【００５６】
図１１（ａ）（ｂ）は、光源ユニットに設ける各ＬＥＤの個数が図２、３等より多い場合となる変形例の面光源装置９９を示している。なお、図１１（ａ）（ｂ）では、面光源装置９９の中央から右半分のみを表しており、左半分の範囲は、図１１（ａ）（ｂ）に表した内容と中央位置Ｃを中心にして対称となっている。光源ユニット１００は、中央位置Ｃに高演色ＬＥＤ１０２ａを配置し、以下、図中右方へ高輝度ＬＥＤ１０１ａ〜１０１ｃと、高演色ＬＥＤ１０２ｂ、１０２ｃを交互に配置している。
【００５７】
導光板９０は、一側面部９０ａに切欠９１〜９８を形成している。各切欠９１〜９８は、図２、３等に示す導光板１６に形成した切欠２１〜２８と基本的には同形状にしているが、切欠９１〜９４と、切欠９５〜９８では、入射した光の屈折角が相異するように各切欠に設ける湾曲面９１ａ等の角度を変えていることが特徴にいなっている。すなわち、高輝度ＬＥＤ１０１ａおよび高演色ＬＥＤ１０２ｂに対向する切欠９１〜９４は、高輝度ＬＥＤ１０１ａおよび高演色ＬＥＤ１０２ｂから発せられた光Ｌ８、Ｌ９が角度γで屈折するように湾曲面９１ａ、９４ａ等の角度が設定されている。一方、高輝度ＬＥＤ１０１ｂおよび高演色ＬＥＤ１０２ｃに対向する切欠９５〜９８は、高輝度ＬＥＤ１０１ｂおよび高演色ＬＥＤ１０２ｃから発せられた光Ｌ１０、Ｌ１１が角度β（β＞γ）で屈折するように湾曲面９５ａ、９８ａ等の角度が設定されている。
【００５８】
このように切欠９１〜９４と、切欠９５〜９８の屈折角度を相異させることで、図１１（ｂ）に示すように、光源ユニット１００の中央寄りに配置されたＬＥＤ１０１ａ、１０２ｂから発せられた光Ｌ８、Ｌ９は、導光板９０の一側面部９０ａの近い箇所で交差すると共に、導光板９０の右方へ進行する光Ｌ８は、右側面部９０ｂの反射位置Ｐ１で反射する。一方、光源ユニット１００の端寄り（右端寄り）に配置されたＬＥＤ１０１ｂ、１０２ｃから発せられた光Ｌ１０、Ｌ１１は、導光板９０の一側面部９０ａから遠い箇所（光Ｌ８、Ｌ９の交差箇所と比べて遠い箇所）で交差すると共に、導光板９０の右方へ進行する光Ｌ１０は、右側面部９０ｂの反射位置Ｐ２で反射し、反射位置Ｐ２は反射位置Ｐ１より、一側面部９０ａからの距離が遠くなっている。
【００５９】
そのため、端寄りに配置された高輝度ＬＥＤ１０１ｂから照射された光が一側面部９０ａに近い右側面部９０ｂで反射して、不規則に液晶パネルを照射することがなくなるので、輝度ムラと色ムラをより軽減できる。すなわち、高輝度ＬＥＤ１０１ｂは右側面部９０ｂと近い場所に配置され、且つその光の輝度が高いため、導光板９０の一側面部９０ａ近傍で反射すると強い輝度ムラと色ムラが生じるが、上記のように導光板９０の幅方向における中央寄りと端寄りでは、屈折角度が相異するように切欠９１〜９８を形成するので、強い輝度ムラおよび色ムラの発生を防止できる。さらに、端寄りに配置された高演色ＬＥＤ１０２ｃの光は、切欠９７、９８で緩やかに屈折されて、光Ｌ１１として進行するので、高演色ＬＥＤ１０２ｃからの光が導光板９０の内部で不規則に反射することが抑えられ、輝度ムラおよび色ムラを軽減できる。なお、このような図１１（ａ）（ｂ）に示す構成は、多数のＬＥＤが必要となる大型の液晶パネルを適用した液晶表示装置に対して好適となる。
【００６０】
図１２は、本発明のさらに別の変形例の面光源装置１１９を示し、この変形例の構成は小型の液晶表示装置に好適なものである。図１２の面光源装置１１９は、導光板１１０の右側面部１１０ｃと下側面部１１０ｂとが交わる角部に面取り的な斜面部１１０ａを形成し、その斜面部１１０ａに、高輝度ＬＥＤ１２１ａおよび高演色ＬＥＤ１２１ｂを含む配光源ユニット１２０を対向配置して、光源ユニット１２０から発せられた光が斜面部１１０ａ（光源からの光が入射される側面部に相当）入射されるようにしている。
【００６１】
導光板１１０は、斜面部１１０に高輝度ＬＥＤ１２１ａと対向するように切欠１１１、１１２を形成し、高演色ＬＥＤ１２１ｂと対向するように切欠１１３、１１４を形成している。これらの切欠１１１〜１１４は、図２、３等に示す導光板１６の切欠２１〜２４と同形状になっており、そのため、各ＬＥＤ１２１ａ、１２１ｂから発せられた光は、切欠１１１〜１１４で交差するように屈折されて、発光特性の異なる光が混じり合い、液晶パネルで輝度ムラおよび色ムラは生じるのが抑制される。なお、面光源装置１１９の光源として明るさをあげる場合は、導光板１１０の残りの角部のいずれかにも、面取り的な斜面部（切欠を設けたもの）を形成すると共に、光源ユニット１２０を配置することになる。また、斜面部１１０ａに形成する切欠１１１〜１１４の形状は、図７（ａ）、図８、図９、図１０（ａ）（ｂ）に示すものも適用可能である。
【００６２】
また、上述した液晶表示装置１１では、屋内モードと屋外モードの切替をユーザのマニュアル操作により切り替える制御をおこなっていたが、これ以外にも、外光の明度を検出する明度センサを用いて、現在の使用場所に合わせて自動的に屋内モードと屋外モードを切替可能にすることが可能である。この場合、明度センサを制御部３２（図５参照）に接続すると共に、制御部３２の内部メモリ（図５に示さず）に明度用の閾値を記憶させ、明度センサが検知した明度と閾値を制御部３２で比較し、検知した明度が閾値を越える場合は屋外モード、検知した明度が閾値を下回る場合は屋内モードになるように制御部３２が制御を行う。
【００６３】
さらに、本実施例に係る液晶表示装置１１は、図１の携帯電話機１０以外にも、他の表示機器類、例えばデジタルビデオカメラ、ポータブルＤＶＤ、ポータブルゲーム機、ＰＤＡ（Personal Digital Assistant）などにも適用できる。くわえて、上述した各構成（変形例も含む。）は、適宜、組み合わせることも可能である。
【図面の簡単な説明】
【００６４】
【図１】本発明の実施形態に係る液晶表示装置を含む携帯電話機の正面図である。
【図２】（ａ）は液晶表示装置の構造を示す正面図であり、（ｂ）は（ａ）のＡ−Ａ線における概略断面図である。
【図３】面光源装置の要部を示す斜視図である。
【図４】面光源装置の要部を示す概略図である。
【図５】液晶表示装置の電気的構成を示すブロック図である。
【図６】（ａ）は液晶表示装置の第１発光状態を示す概略図であり、（ｂ）は第２発光状態を示す概略図である。
【図７】（ａ）は変形例の面光源装置の正面図であり、（ｂ）は変形例の面光源装置の要部拡大図である。
【図８】別の変形例の面光源装置の正面図である。
【図９】さらに別の変形例に係る面光源装置の正面図である。
【図１０】（ａ）は切欠の数を減らした導光板を含む面光源装置の正面図であり、（ｂ）は切欠の数を減らした別の変形例の導光板を含む面光源装置の正面図である。
【図１１】（ａ）は場所に応じて屈折角を相異させた切欠を有する導光板を含む面光源装置の要部概略図であり、（ｂ）は光の進行状況を示す概略図である。
【図１２】導光板の角部に光源ユニットを配置した変形例の面光源装置を示す概略図である。
【図１３】異なる発光特性のＬＥＤを含む光源ユニットによる液晶表示装置の発光状態を示し、（ａ）は高演色ＬＥＤの発光状態を示す概略図、（ｂ）は全ＬＥＤの照射により輝度ムラが生じた状態を示す概略図である。
【図１４】異なる発光特性のＬＥＤを含む光源ユニットによる別の液晶表示装置の発光状態を示し、（ａ）は全ＬＥＤの発光状態を示す概略図、（ｂ）は高演色ＬＥＤの照射により輝度ムラが生じた状態を示す概略図である。
【符号の説明】
【００６５】
１０  携帯電話機
１１  液晶表示装置
１１ａ  液晶パネル
１５  光源ユニット
１６  導光板
１６ａ  一側面部
１８ａ、１８ｂ、１８ｃ、１８ｄ  高輝度ＬＥＤ
１９ａ、１９ｂ、１９ｃ  高演色ＬＥＤ
１６ｄ  第１導光パターン
１６ｅ  第２導光パターン
２１〜２８  切欠
２１ａ〜２８ａ  湾曲面
３４  面光源装置
【図１】
0004773410.tif 000002
【図２】
0004773410.tif 000003
【図３】
0004773410.tif 000004
【図４】
0004773410.tif 000005
【図５】
0004773410.tif 000006
【図６】
0004773410.tif 000007
【図７】
0004773410.tif 000008
【図８】
0004773410.tif 000009
【図９】
0004773410.tif 000010
【図１０】
0004773410.tif 000011
【図１１】
0004773410.tif 000012
【図１２】
0004773410.tif 000013
【図１３】
0004773410.tif 000014
【図１４】
0004773410.tif 000015